(57)【特許請求の範囲】
【請求項１】
複数のＬＥＤからなるブロックを複数含み、ブロック内のＬＥＤとＬＥＤとの間に他のブロックのＬＥＤを配するようにして、ＬＥＤが並べられたランプと、
前記ランプから照射され、読取対象で反射され、光学系部材により導かれた光が入射され、少なくとも前記読取対象をライン単位で読み取るイメージセンサと、
前記ランプに含まれるＬＥＤの故障を検知する故障検知部と、
故障検知結果の表示と状態表示を行う表示部と、を含み、
前記ランプに含まれるＬＥＤの故障を検知する故障検知を行うとき、
前記ランプは、並べられたＬＥＤが、少なくとも１つとばしで点灯するようにブロック単位でＬＥＤの点消灯を切り替え、
前記故障検知部は、前記イメージセンサの出力に基づく画像データにおいて、点灯させたＬＥＤに対応する画素の光量レベルが、予め定められた閾値以上か否かに基づき、ＬＥＤの故障を検知し、
前記表示部は、前記ランプに含まれるＬＥＤに故障があるとき、載置読取用コンタクトガラス上に基準点にあわせて載置された原稿を読み取る場合、読み取り可能な原稿のサイズを表示することを特徴とする画像読取装置。
【請求項２】
前記故障検知部は、点灯させたＬＥＤの位置に基づき、ブロック単位で故障しているか否かを検知する、及び／又は、ＬＥＤ１つ単位で故障しているか否かを検知する、ことを特徴とする請求項１記載の画像読取装置。
【請求項３】
前記ランプは、ブロック内のＬＥＤとＬＥＤとの間に他のブロックのＬＥＤを１つ配するようにＬＥＤが配され、前記故障検知のとき、並べられたＬＥＤが、１つとばしで点灯するようにブロック単位でＬＥＤの点消灯を切り替えることを特徴とする請求項１又は２に記載の画像読取装置。
【請求項４】
前記ランプは、ブロック内のＬＥＤとＬＥＤとの間に他のブロックのＬＥＤを２つ以上配するようにＬＥＤが配され、前記故障検知のとき、並べられたＬＥＤが、複数個とばしで点灯するようにブロック単位でＬＥＤの点消灯を切り替えることを特徴とする請求項１又は２に記載の画像読取装置。
【請求項５】
前記ＬＥＤは、白色ＬＥＤであることを特徴とする請求項１乃至４のいずれか１項に記載の画像読取装置。
【請求項６】
請求項１乃至５のいずれか１項に記載の画像読取装置を含むことを特徴とする画像形成装置。
【発明の詳細な説明】
【技術分野】
【０００１】
本発明は、原稿の読取を行う画像読取装置に関する。又、この画像読取装置を備えた画像形成装置に関する。
【背景技術】
【０００２】
従来、原稿を読み取り、画像データを出力する画像読取装置が存在する（例えば、スキャナ）。一般に、画像読取装置は、原稿に光を照射するランプや、原稿の反射光を受光して光電変換を行うイメージセンサ等を含む。そして、画像読取装置は、コピーや送信のため、複写機や複合機やＦＡＸ装置等の画像形成装置に搭載されることもある。近年では、消費電力の少なさや、点灯から発光が安定するまでの時間が短い等の利点から、蛍光管やハロゲンランプに変えて、複数のＬＥＤを並べたランプが、画像読取装置のランプとして用いられることがある。
【０００３】
過電流や、断線や、接触不良や、はんだ付けのミス等によって、ランプに含まれるＬＥＤが故障する（点かなくなる）ことがある。しかし、蛍光管などの線光源に比べ、ランプで故障が発生しても、全てのＬＥＤが点かなくなるとは限らない。例えば、ランプは、ＬＥＤを複数個直列接続したブロックを複数個並べることがある。このようなランプでは、ＬＥＤ単体、若しくは、ブロック単位でＬＥＤが故障しても、他のＬＥＤは点灯し、故障が発生しているかわかりづらい。そこで、複数のＬＥＤを用いたランプの故障を検知する画像読取装置の一例が、特許文献１に記載されている。
【０００４】
具体的に、特許文献１には、複数のＬＥＤを直列接続してなるＬＥＤブロックを複数個直列に並べてなるＬＥＤアレイと、ＬＥＤアレイを定電圧駆動制御する駆動制御手段とを有する画像読取装置において、駆動制御手段により駆動制御してＬＥＤアレイを流れる電流を検出する電流検出手段と、電流検出手段により検出された電流の値と予め定めた閾値とを比較し比較結果に基づきＬＥＤが故障かどうかを判定する判定手段と、を有する画像読取装置が記載されている。この構成により、ＬＥＤアレイの故障を自動的に検知する画像読取装置が提供される（特許文献１：請求項１、段落［０００４］等参照）。
【特許文献１】特開２００４−０４０６６９号公報
【発明の概要】
【発明が解決しようとする課題】
【０００５】
特許文献１記載の発明は、電流検出手段を用いて、ＬＥＤブロックごとに故障検知を行う（特許文献１：段落［００２５］等参照）。これにより、故障したＬＥＤブロックを検知することができる。しかし、特許文献１記載の発明では、ブロックが多数であると、検知に時間を要するという問題がある。
【０００６】
光源（ランプ）が、複数のＬＥＤを並べた（アレイ状）もののとき、読み取り可能か否かを判断するため、故障した（点灯しなくなった）ＬＥＤの場所や個数を特定することが好ましい。例えば、故障したＬＥＤが１つのみであれば、故障したＬＥＤを用いずにすむ原稿のサイズであれば、読み取り可能である。しかし、特許文献１記載の発明は、故障したＬＥＤの特定まではできない。
【０００７】
又、特許文献１記載の発明では、ブロックに流れる電流値に基づき、故障発生か否かを判断する。具体的に、特許文献１記載の発明では、測定するＬＥＤブロックを切り替えるためのアナログスイッチ３０１（どのようなスイッチかは不明）、Ａ／Ｄ変換器３０３、制御プログラム、ＣＰＵ３０４を用いて、ＬＥＤに流れる電流測定を行う（特許文献１：段落［００１７］、［００１８］参照）。このように特許文献１記載の発明では、ＬＥＤに流れる電流測定用回路（測定器）、配線が必要であるという問題がある。電流測定用回路（測定器）やこれに伴う配線は、ＬＥＤに流れる電流測定のためだけのものであり、画像読取装置の製造に要するコストが上昇するという問題がある。
【０００８】
本発明は、上記従来技術の問題点に鑑み、ＬＥＤに流れる電流の測定器を画像読取装置に組み込むことなく、故障したＬＥＤの検知を行うことを課題とする。
【課題を解決するための手段】
【０００９】
上記目的を達成するために、請求項１に係る画像読取装置は、複数のＬＥＤからなるブロックを複数含み、ブロック内のＬＥＤとＬＥＤとの間に他のブロックのＬＥＤを配するようにして、ＬＥＤが並べられたランプと、前記ランプから照射され、読取対象で反射され、光学系部材により導かれた光が入射され、少なくとも前記読取対象をライン単位で読み取るイメージセンサと、前記ランプに含まれるＬＥＤの故障を検知する故障検知部と、故障検知結果の表示と状態表示を行う表示部と、を含み、前記ランプに含まれるＬＥＤの故障を検知する故障検知を行うとき、前記ランプは、並べられたＬＥＤが、少なくとも１つとばしで点灯するようにブロック単位でＬＥＤの点消灯を切り替え、前記故障検知部は、前記イメージセンサの出力に基づく画像データにおいて、点灯させたＬＥＤに対応する画素の光量レベルが、予め定められた閾値以上か否かに基づき、ＬＥＤの故障を検知し、前記表示部は、前記ランプに含まれるＬＥＤに故障があるとき、載置読取用コンタクトガラス上に基準点にあわせて載置された原稿の読み取りを行う場合、読み取り可能な原稿のサイズを表示することとした。
【００１０】
この構成によれば、故障検知部は、画像データにおいて、点灯させたＬＥＤに対応する画素の光量レベルが、予め定められた閾値以上か否かに基づきＬＥＤの故障を検知する。これにより、故障検知部は、画像データに基づき、ＬＥＤが点くか点かないかを検知するので、ＬＥＤに流れる電流を測定するための測定器（回路）は必要がない。従って、画像読取装置の製造コスト削減や、画像読取装置の設計の簡略化を図ることができる。
【００１１】
又、故障検知のとき、故障したＬＥＤ（点かないＬＥＤ）に隣接するＬＥＤを点灯させていると、隣接するＬＥＤの照射光の影響を受け、故障を検知できない場合が生じ得る。しかし、この構成によれば、ブロック内のＬＥＤとＬＥＤとの間に他のブロックのＬＥＤが配され、並べられたＬＥＤのうち、少なくとも１つとばしでＬＥＤを点灯させ、隣接するＬＥＤを点灯させないようにすることができる。従って、故障したＬＥＤの位置を正確に特定することができる。
【発明の効果】
【００１２】
本発明によれば、ＬＥＤの故障を検知するため、ＬＥＤに流れる電流測定器を画像読取装置に組み込む必要がない画像読取装置、画像形成装置を提供することができる。又、確実、正確、短時間に故障したＬＥＤの検知を行える画像読取装置、画像形成装置を提供することができる。
【図面の簡単な説明】
【００１３】
【図１】第１の実施形態に係る複合機の概略構成を示す正面視模型的断面図である。
【図２】第１の実施形態に係る画像読取装置の一例を示す模型的断面図である。
【図３】第１の実施形態に係る画像読取部を上方からみたときの一例を示す平面図である。
【図４】第１の実施形態に係る複合機の構成の一例を示すブロック図である。
【図５】第１の実施形態に係る画像読取部と原稿搬送部の構成の一例を示すブロック図である。
【図６】第１の実施形態に係るランプの一例を示す説明図である。
【図７】第１の実施形態に係るランプのブロック分けの一例を示す説明図である。
【図８】第１の実施形態に係る故障検知処理を説明するための説明図である。
【図９】第１の実施形態に係る検知結果表示画面の一例を示す説明図である。
【図１０】第１の実施形態に係る検知結果表示画面の一例を示す説明図である。
【図１１】第１の実施形態に係る画像読取装置での故障検知制御の流れの一例を示すフローチャートである。
【図１２】第２の実施形態に係るランプのブロック分けの一例を示す説明図である。
【発明を実施するための形態】
【００１４】
以下、本発明の第１の実施形態を図１〜図１１を用いて説明する。但し、本実施の形態に記載されている構成、配置等の各要素は、発明の範囲を限定するものではなく単なる説明例にすぎない。
【００１５】
（画像形成装置の概略）
まず、図１を用いて、本発明の第１の実施形態に係る画像読取装置１００を含む電子写真方式の複合機２００（画像形成装置に相当）の概略を説明する。図１は、本発明の第１の実施形態に係る複合機２００の概略構成を示す正面視模型的断面図である。
【００１６】
図１に示すように、本実施形態に係る複合機２００は、上方に画像読取装置１００を含む。画像読取装置１００は、画像読取部１と、原稿搬送部２と、操作パネル３を含む。尚、画像読取部１と、原稿搬送部２の詳細は後述する。
【００１７】
図１に破線で示すように、画像読取部１の正面側に操作パネル３が設けられる。操作パネル３は、複合機２００の設定用のキーを表示し、使用者の入力を受け付ける液晶表示部３０（表示部に相当）を有する。又、液晶表示部３０は、ＬＥＤ７の故障検知結果や、エラー等の複合機２００や画像読取装置１００の状態を表示できる。又、操作パネル３にコピー部数等の数字入力を行うためのテンキー部３１や、コピー実行を指示するためのスタートキー３２等が配される。
【００１８】
そして、図１に示すように、本実施形態の複合機２００は、本体内部に、給紙部４Ａ、搬送路４Ｂ、画像形成部５Ａ、中間転写部５Ｂ、定着部５Ｃ等を備える。
【００１９】
本体内の複数の給紙部４Ａは、それぞれ、各サイズ（例えば、Ａ４、Ｂ４等のＡ型、Ｂ型用紙等）、各種用紙（例えば、コピー用紙、再生紙、厚紙、ＯＨＰシート等）を複数枚収容する。各給紙部４Ａは、それぞれ回転駆動する給紙ローラ４１を備え、印刷時、１枚ずつ搬送路４Ｂに用紙を送り込む。
【００２０】
搬送路４Ｂは、装置内で用紙を搬送する通路である。そして、搬送路４Ｂには、用紙の案内のためのガイドや、用紙搬送時に回転駆動する搬送ローラ対４２（図１おいて、上方から４２Ａ、４２Ｂ、４２Ｃの計３つ）や、搬送される用紙を画像形成部５Ａの手前で待機させ、形成されたトナー像の転写タイミングに合わせ用紙を送り出すレジストローラ対４３等が設けられる。又、定着完了後の用紙を排出トレイ４４に排出する排出ローラ対４５も設けられる。
【００２１】
画像形成部５Ａは、複数の画像形成ユニット５０（ブラック用の５０Ｂｋ、イエロー用の５０Ｙ、シアン用の５０Ｃ、マゼンタ用の５０Ｍ）と露光装置５１を含む。露光装置５１は、画像読取部１で読み取られた画像データ等に基づき、レーザ光を点消灯しつつ出力し、各感光体ドラムを走査露光する。画像形成ユニット５０は、回転駆動可能に支持された感光体ドラムや、感光体ドラムの周囲に配設された帯電装置、現像装置、清掃装置等を備える。そして、各画像形成ユニット５０と露光装置５１によって、感光体ドラムの周面上にトナー像が形成される。
【００２２】
中間転写部５Ｂは、各画像形成ユニット５０からトナー像の１次転写を受け、シートに２次転写を行う。中間転写部５Ｂは、各１次転写ローラ５２Ｂｋ〜５２Ｍ、中間転写ベルト５３、駆動ローラ５４、複数の従動ローラ５５、２次転写ローラ５６、ベルト清掃装置５７等で構成される。各１次転写ローラ５２Ｂｋ〜５２Ｍは、対応する感光体ドラムと無端状の中間転写ベルト５３を挟み込む。各１次転写ローラ５２Ｂｋ〜５２Ｍには、転写用電圧が印加され、トナー像は中間転写ベルト５３に転写される。
【００２３】
中間転写ベルト５３は、駆動ローラ５４等に張架され、モータ等の駆動機構（不図示）に接続される駆動ローラ５４の回転駆動により周回する。又、駆動ローラ５４は、２次転写ローラ５６とで中間転写ベルト５３を挟み込む。各画像形成ユニット５０で形成されたトナー像（ブラック、イエロー、シアン、マゼンタの各色）は、順次、ずれなく重畳して中間転写ベルト５３に１次転写された後、所定の電圧を印加された２次転写ローラ５６により、シートに転写される。
【００２４】
定着部５Ｃは、用紙に転写されたトナー像を定着させる。定着部５Ｃは、主として、発熱体を内蔵する加熱ローラ５８とこれに圧接する加圧ローラ５９からなる。用紙が、加熱ローラ５８と加圧ローラ５９のニップを通過すると、トナーが溶融・加熱され、トナー像が用紙に定着する。定着部５Ｃからの排出用紙は排出トレイ４４に送られる。
【００２５】
（画像読取装置１００の構成）
次に、図２を用いて、本発明の第１の実施形態に係る画像読取装置１００の一例を説明する。図２は、本発明の第１の実施形態に係る画像読取装置１００の一例を示す模型的断面図である。尚、図２では、操作パネル３の図示は省略している。
【００２６】
まず、原稿搬送部２は、画像読取部１の上方に設けられ、手前側が画像読取部１に対し上下方向に開閉する。そして、原稿搬送部２は、搬送読取用コンタクトガラス１１（読み取り位置）に向けて読み取りを行う原稿（読取対象）を１枚ずつ、自動的に連続して搬送する。原稿搬送部２は、原稿搬送方向上流側から順に、原稿トレイ２１、原稿供給ローラ２２、原稿搬送路２３、複数の原稿搬送ローラ対２４、原稿排出ローラ対２５、原稿排出トレイ２６等を備える。又、原稿搬送部２は、図２の紙面奥側を支点として画像読取部１に上下方向に開閉自在に取り付けられ、画像読取部１の各コンタクトガラスを上方から押さえるカバー（原稿押さえ部）として機能する。
【００２７】
複数枚の原稿は、原稿トレイ２１に載置される。そして、原稿供給ローラ２２は、原稿トレイ２１に載置された原稿のうち最上位の原稿に当接する。例えば、スタートキー３２の押下等、原稿読取を行う旨の入力が複合機２００に入力されると、原稿供給ローラ２２は、原稿搬送路２３に原稿を１枚ずつ送り出す。
【００２８】
送り出された原稿は、複数の原稿搬送ローラ対２４やガイドに導かれ、画像読取部１上面に設けられた搬送読取用コンタクトガラス１１の上面を通過する。この通過の際、画像読取部１が読取を行う。そして、読取が完了した原稿は、原稿排出ローラ対２５から原稿排出トレイ２６に排出される（原稿搬送経路を２点鎖線で図示）。尚、上記の各回転体（原稿供給ローラ２２、原稿搬送ローラ対２４、原稿排出ローラ対２５）は、原稿搬送モータ２７（図５参照）を駆動源として回転する。
【００２９】
次に、本実施形態における画像読取部１を説明する。画像読取部１は、搬送読取用コンタクトガラス１１又は載置読取用コンタクトガラス１２上面に向け光を照射し、反射光に基づきイメージセンサ１５により画像データを生成する。
【００３０】
図１や図２に示すように、画像読取部１は、箱形の筐体を有する。そして、画像読取部１の上面左側に、図２の紙面に垂直な方向でのび、透明板状の搬送読取用コンタクトガラス１１が配される。そして、画像読取部１の上面で右側に、紙面に垂直な方向でのび、透明板状の載置読取用コンタクトガラス１２が配される。載置読取用コンタクトガラス１２は画像読取部１の上面に設けられる。書籍等の原稿を１枚ずつ読み取る場合、原稿搬送部２を持ち上げ、読取面を下向きにして、原稿が載置読取用コンタクトガラス１２に載置される。
【００３１】
尚、搬送読取用コンタクトガラス１１と載置読取用コンタクトガラス１２の間の原稿ガイド部材１１Ｇの下方には、シェーディング補正における白基準を取得するための白基準板１１Ｗ（例えば、真っ白な樹脂板）が設けられる。画像読取部１は、白基準板１１Ｗを読み取って、主走査方向のラインの各画素での白基準を定める。
【００３２】
又、図２に示すように、画像読取部１の筐体内に、第１移動枠１３１、第２移動枠１３２、ワイヤ１３３、巻取ドラム１３４、レンズ１４と、いった光学系部材と、原稿に光を照射するランプ６と、原稿に照射された光が入射され、１ライン毎に原稿を読み取り、画像データを生成するためのイメージセンサ１５等が配される。イメージセンサ１５は、例えば、ライン状に光電変換素子を並べたＣＣＤ（Charge Coupled Device）で構成され、原稿の反射光を元に、主走査方向で１ライン毎に原稿を読み取る。
【００３３】
ランプ６から発せられた光は、搬送読取用コンタクトガラス１１上の原稿に当たり、反射光を第１ミラー１６１、第２ミラー１６２、第３ミラー１６３といった光学系部材で反射させて、レンズ１４に導く。レンズ１４は反射光を集光し、イメージセンサ１５に入射する、イメージセンサ１５は、例えば、複数の受光素子をＲ、Ｇ、Ｂの３つのライン状に並べたラインセンサである。そして、イメージセンサ１５は、反射光を画像濃度に応じたアナログの電気信号に変換する。この原稿の主走査方向（原稿搬送方向と垂直な方向）にライン単位で読取が行われ、ライン単位の読取を副走査方向（原稿搬送方向）に連続して繰り返し行って、１枚の原稿が読み取られる。
【００３４】
そして、第１移動枠１３１は、上方に光を照射するランプ６を、下方に第１ミラー１６１を支持する。尚、ランプ６、各ミラーは図２の紙面垂直方向に延びる形状である。第２移動枠１３２は、上方に第２ミラー１６２を下方で第３ミラー１６３を支持する。又、第１移動枠１３１は第２移動枠１３２の上方に配される。又、この第１移動枠１３１及び第２移動枠１３２には複数本のワイヤ１３３が取り付けられる（図２では、便宜上１本のみ図示）。ワイヤ１３３の他端は巻取ドラム１３４に接続され、巻取モータ１３Ｍ（図５参照）を駆動源として、巻取ドラム１３４が正逆回転し、第１移動枠１３１と第２移動枠１３２は水平方向に自在に移動する。
【００３５】
ここで、具体的な原稿読取動作の一例を説明しておく。まず、原稿搬送部２により搬送される原稿の読取の場合、巻取モータ１３Ｍが駆動した後、第１移動枠１３１と第２移動枠１３２は、搬送読取用コンタクトガラス１１の下方位置（読み取り位置）に固定される。そして、通過する原稿に対し、ランプ６は光を照射する。尚、ランプ６の詳細は後述する。
【００３６】
一方、載置読取用コンタクトガラス１２上に載置された原稿を読み取る場合、第１移動枠１３１及び第２移動枠１３２を巻取ドラム１３４やワイヤ１３３等により、ホームポジションから図２の右方向に水平に移動させ、走査動作を、順次原稿端部まで連続的に行うことで、原稿全体が読み取られ、原稿画像が電気信号に変換される。
【００３７】
（原稿の読み取り）
次に、図３に基づき、本発明の第１の実施形態に係る画像読取装置１００での原稿の読み取りの概要を説明する。図３は、本発明の第１の実施形態に係る画像読取部１を上方からみたときの一例を示す平面図である。
【００３８】
書籍などを原稿とするとき、使用者は、読み取る面を下向きにし、載置読取用コンタクトガラス１２に原稿を載置する。そして、原稿の基準点Ｐにあわせて原稿を載置する。尚、本実施形態の複合機２００では、複合機２００を上方からみて、載置読取用コンタクトガラス１２の左上隅が基準点Ｐである。使用者は、この基準点Ｐに原稿の左上隅をあわせ原稿を載置する。又、例えば、原稿は、原稿トレイ２１に載置された原稿の上辺（原稿搬送方向と平行で奥側の辺）が、基準点Ｐと一致するように、原稿搬送部２により搬送される。
【００３９】
本実施形態の複合機２００では、例えば、定型サイズで、読み取り可能な最大のサイズは、Ａ３サイズである。そのため、画像読取部１で読み取ることができる主走査方向の幅は、およそ３０ｃｍである。この主走査方向の幅で、ランプ６は原稿に対し、光を照射する。
【００４０】
（複合機２００のハードウェア構成）
次に、図４に基づき本発明の第１の実施形態に係る複合機２００のハードウェア構成の一例を説明する。図４は、本発明の第１の実施形態に係る複合機２００の構成の一例を示すブロック図である。
【００４１】
まず、複合機２００内には、本体制御部８が設けられる。本体制御部８は、複合機２００の各部の制御を司る。複合機２００の本体制御部８には、中央演算処理装置として、ＣＰＵ８１が設けられる。又、ＲＡＭ（Random Access Memory）やＲＯＭ（Read Only Memory）やＨＤＤ（Hard disk drive）やフラッシュＲＯＭ等の不揮発性と揮発性のメモリからなる記憶部８２が、本体制御部８内（本体制御部８外でもよい）に設けられる。
【００４２】
記憶部８２は、複合機２００を制御するためのプログラム、データ等を記憶する。本体制御部８は、記憶部８２のプログラムやデータを利用して、各部（操作パネル３、給紙部４Ａ、搬送路４Ｂ、画像形成部５Ａ、中間転写部５Ｂ、定着部５Ｃ）と通信可能に接続され、制御し、印刷等を行わせる。尚、本体制御部８は、全体制御や通信制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明ではこれらの制御部をまとめた形態を示し、説明する。
【００４３】
又、本体制御部８には、画像読取装置１００内に設けられる第１画像処理部９（詳細は後述）が処理した画像データに基づき、画像処理を行う第２画像処理部８３が設けられる。例えば、第２画像処理部８３は、ＡＳＩＣやメモリ等で構成され、濃度変換処理や、拡大縮小処理や、回転処理や、画像データの圧縮、伸張処理などの各種画像処理を行える。尚、第２画像処理部８３は、その他の画像処理（例えば、枠消し処理）等を行うこともできるが、公知の画像処理を行えるものとして説明を割愛する。
【００４４】
又、操作パネル３での設定やコピー実行指示は、本体制御部８に伝達される。そのため、操作パネル３は、画像読取装置１００の設定入力や表示を行う部分としても、複合機２００の設定入力や表示を行う部分としても機能する。本体制御部８は、画像読取装置１００とも接続され、コピー実行時等、画像読取装置１００に対して動作指示を与える。そのため、本体制御部８は、画像読取装置１００の制御部として機能するときがある。そして、本体制御部８はコピー時、原稿の画像データを受け取り、画像データに基づき、印刷を行わせる（コピー）。
【００４５】
通信部８４は、外部のコンピュータ３００（例えば、パーソナルコンピュータ）やＦＡＸ装置４００とネットワーク、回線、ケーブル等を通じて通信を行うためのインターフェイスである。そのため、通信部８４は、各種コネクタや通信用の回路、素子、コントローラ等を含む。本体制御部８は、通信部８４を介した通信により、外部のコンピュータ３００やＦＡＸ装置４００から印刷用のデータを受信でき、外部のコンピュータ３００やＦＡＸ装置４００に画像データを送信できる（スキャナ機能、ＦＡＸ機能）。
【００４６】
（画像読取部１、原稿搬送部２のハードウェア構成）
次に、図５〜図７を用いて、本発明の第１の実施形態に係る画像読取部１と原稿搬送部２のハードウェア構成の一例を説明する。図５は、本発明の第１の実施形態に係る画像読取部１と原稿搬送部２の構成の一例を示すブロック図である。図６は、本発明の第１の実施形態に係るランプ６の一例を示す説明図である。図７は、本発明の第１の実施形態に係るランプ６のブロック分けの一例を示す説明図である。
【００４７】
上述したように、本実施形態の画像読取装置１００は、原稿搬送部２と画像読取部１を含む。そして、原稿搬送部２には、原稿搬送部２の動作の制御を行う原稿搬送制御部２０が設けられる。一方、画像読取部１には、画像読取部１の動作の制御を行う読取制御部１０（故障検知部に相当）が設けられる。
【００４８】
まず、原稿搬送制御部２０を説明する。原稿搬送制御部２０は、上述の本体制御部８や読取制御部１０と接続され、本体制御部８や読取制御部１０からの指示、信号を受け原稿搬送部２の動作制御を行う。原稿搬送制御部２０は、例えば、ＣＰＵや、制御用のプログラムやデータを記憶する記憶装置としてのＲＯＭ、ＲＡＭを含む基板である。原稿搬送制御部２０は、本体制御部８等との通信を行い、又、本体制御部８等の指示を受け、原稿搬送部２の実際の動作制御を行う。例えば、コピー等のため、本体制御部８から原稿の読取指示があった場合、原稿搬送モータ２７を駆動させ、原稿供給ローラ２２や原稿搬送ローラ対２４等を回転させる。
【００４９】
次に、画像読取部１を説明する。画像読取部１には、画像読取部１の動作を実際に制御する部分として読取制御部１０が設けられる。読取制御部１０も、中央演算処理装置としてのＣＰＵや、画像読取装置１００の制御に必要なプログラム、データを記憶する記憶装置としてのＲＯＭ、ＲＡＭ等を含む基板である。
【００５０】
読取制御部１０は、上述の本体制御部８や原稿搬送制御部２０と通信可能に接続される。そして、読取制御部１０は、本体制御部８からの指示、信号を受け、画像読取部１の動作制御を行う。例えば、操作パネル３のスタートキー３２が押下された場合等、本体制御部８の指示を受け、読取制御部１０は、画像読取部１や画像読取装置１００の動作制御や、読取で得られた原稿の画像データの本体制御部８への送信制御を行う。又、読取制御部１０は、巻取モータ１３Ｍの回転を制御し、巻取ドラム１３４を回転させ、各移動枠を移動させる。
【００５１】
又、読取制御部１０は、ランプ６やイメージセンサ１５やＡ／Ｄ変換部９１や第１画像処理部９等と接続され、原稿の読み取りを行うべき旨の指示、言い換えると、駆動すべき旨の指示を与える。
【００５２】
ランプ６は、白色のＬＥＤ７を含む。白色のＬＥＤ７は、ｒｅｄ、ｇｒｅｅｎ、ｂｌｕｅの３色のＬＥＤ７を組み合わせたものでもよいし、ｂｌｕｅのＬＥＤ７にｙｅｌｌｏｗのフィルタを設けたものでもよい。尚、ランプ６に含まれるＬＥＤ７は必ずしも白色で発光するものに限られず、他色（例えば、ｒｅｄ、ｇｒｅｅｎ、ｂｌｕｅのいずれかの色）で発光するものでもよい場合がある。
【００５３】
ここで、図６を用いて、ランプ６の一例を説明する。図６に示すように、本実施形態のランプ６は、複数のＬＥＤ７をそれぞれライン状に並べる（配列する）タイプのランプ６である。例えば、１つのＬＥＤ７の幅が１ｃｍであれば、主走査方向の読取幅にあわせて、ＬＥＤ７は、３０個程度並べられる。
【００５４】
次に、図７を用いて、ランプ６でのＬＥＤ７のブロック７７を説明する。図７において、数字の入れられた四角形は、ＬＥＤ７を示す。四角形内の数字は、各ＬＥＤ７が属するブロック７７の番号を示す。
【００５５】
本実施形態のランプ６でのブロック７７は、複数のＬＥＤ７を並列接続したものである。本実施形態では３つのＬＥＤ７の並列回路を１つのブロック７７として扱う例を説明する。尚、１つのブロック７７のＬＥＤ７の個数は、３つとは限らず、２個でもよいし４つ以上でもよい。又、１つのブロック７７内のＬＥＤ７を直列接続してもよい（直列回路としてもよい）。そして、本実施形態では、複数のブロック７７が並べられる。その結果、複数のＬＥＤ７が並べられ、１つのランプ６が形成される。尚、図７では、第１〜第８ブロックまでを例として示し、偶数ブロックには網掛けを施して示す。
【００５６】
本実施形態のランプ６では、１つのブロック７７におけるＬＥＤ７の間に、それぞれ別のブロック７７のＬＥＤ７が配される。例えば、図７では、第１ブロックの各ＬＥＤ７の間には、第２ブロックのＬＥＤ７が配される。これは、故障検知のときに、点灯させるＬＥＤ７の組み合わせを考慮したものである。より厳密に言えば、奇数ブロックの各ＬＥＤ７の間には、偶数ブロックのＬＥＤ７が１つ配される。又、偶数ブロックの各ＬＥＤ７の間には、奇数ブロックのＬＥＤ７が１つ配される。又、ブロック単位でみると、１つの奇数ブロックと次の奇数ブロックの間には、偶数ブロックのＬＥＤが挟まれ、１つの偶数ブロックと次の偶数ブロックの間には、奇数ブロックのＬＥＤが挟まれる。
【００５７】
そして、図５に示すように、ランプ６には、各色の点消灯を行ううえでのスイッチとしての点灯回路６０が設けられる。点灯回路６０は、通常の読み取りでは、全てのブロック７７（全ＬＥＤ７）を点灯させる。一方、点灯回路６０は、ＬＥＤ７の故障検知のとき、奇数ブロックのＬＥＤ７を点灯させ、その後、偶数ブロックのＬＥＤ７を点灯させる。尚、偶数ブロックのＬＥＤ７を点灯させた後、奇数ブロックのＬＥＤ７を点灯させてもよい。
【００５８】
このように、同じブロック７７のＬＥＤ７の間に、他のブロック７７のＬＥＤ７が１つ配されるので、奇数若しくは偶数ブロックのＬＥＤ７のみを点灯させることで、ＬＥＤ７を１つとばしで点灯させることができる。ＬＥＤ７の故障検知のとき、ランプ６は、隣り合うＬＥＤ７は、同時に点灯しない。
【００５９】
イメージセンサ１５は、原稿に照射された光を受け、各画素についてＲ、Ｇ、Ｂの３種のアナログの電気信号を出力する。電気信号の大きさは、受光量（光量レベル）に応じ異なる。Ａ／Ｄ変換部９１は、イメージセンサ１５によって得られた各画素のアナログの電気信号の転送を受け、量子化を行いディジタル信号に変換する。例えば、Ａ／Ｄ変換部９１は、Ｒ、Ｇ、Ｂについてそれぞれ８ビット（計２４ビット）に量子化を行う。
【００６０】
第１画像処理部９は、Ａ／Ｄ変換部９１が出力した画像データを受け、画像処理を行う、本実施形態では、第１画像処理部９を画像読取部１に、第２画像処理部８３を本体制御部８に設ける例を説明する。しかし、例えば、本体側若しくは画像読取部１内に一つだけ画像処理部を設け、１つだけ設けた画像処理部に、本説明での第１画像処理部９の処理と第２画像処理部８３の処理を行わせるようにしてもよい。言い換えると、画像処理部を１つだけ設けるようにしてもよい。
【００６１】
第１画像処理部９内には、ワークメモリ９２、点灯制御部９３、同期信号発生部９４、合成処理部９５、補正処理部９６等が設けられる。ワークメモリ９２は、画像データの処理のための作業領域であり、Ａ／Ｄ変換部９１からの画像データは、ワークメモリ９２に蓄えられる。同期信号発生部９４は、原稿の読み取りで同期をとるための同期信号を発する。例えば、同期信号発生部９４は、１ライン分の読み取りで同期をとるための水平同期信号ＨＳＹＮＣを発する。
【００６２】
水平同期信号ＨＳＹＮＣは、例えば、点灯制御部９３やイメージセンサ１５やＡ／Ｄ変換部９１に与えられる。例えば、ＬＥＤ７の故障検知や原稿読み取りの際、水平同期信号ＨＳＹＮＣにあわせて、イメージセンサ１５は、１ラインのうちで先頭にあたる画素から電気信号の出力を開始する。又、例えば、Ａ／Ｄ変換部９１は、水平同期信号ＨＳＹＮＣにあわせて、電気信号のディジタル化を行い、第１画像処理部９に画像データを出力する。
【００６３】
例えば、点灯制御部９３は、ＰＷＭ回路であり、読取制御部１０の指示に基づき、点灯させるブロック７７を示す信号（点灯ブロック指示信号Ｇ１）を点灯回路６０に与える（図５では、便宜上、１本の信号線を図示）。点灯回路６０は、点灯制御部９３からの信号がＨｉｇｈのブロック７７（ＬＥＤ７）を点灯させるスイッチとして機能する。
【００６４】
合成処理部９５は、Ｒ、Ｇ、Ｂの各色の画像データから白黒の画像データを生成する。言い換えると、合成処理部９５は、Ｒ、Ｇ、Ｂの各色の画像データから輝度信号の画像データを生成する。即ち、画像データの各画素値は、反射光の光量のレベルを示す。例えば、合成処理部９５は、ランプ６のＬＥＤ７の故障検知や、白黒でのコピーのとき、処理を行う。
【００６５】
読取制御部１０は、ランプ６に含まれるＬＥＤ７の故障を検知し、故障したＬＥＤ７やブロック７７の位置を特定する。読取制御部１０は、Ｒ、Ｇ、Ｂの各色の１ライン分の各画像データに基づき、故障検知処理を行ってもよい。しかし、本実施形態では、読取制御部１０は、合成処理部９５が処理した１ライン分の画像データを受け、故障検知処理を行う例を説明する。
【００６６】
補正処理部９６は、画像データに対し、ガンマ補正やシェーディング補正等、ＬＥＤ７ランプ６６やイメージセンサ１５等の特性に由来する歪みを補正する。そして、第１画像処理部９によって処理された画像データは、画像メモリ９７に蓄えられた後、本体制御部８に転送される。更に、第２画像処理部８３が画像処理を施した後、例えば、画像データが露光装置５１に与えられる。尚、読取制御部１０は、合成処理部９５と補正処理部９６が画像処理を施した１ライン分の画像データを受け、故障検知処理を行ってもよい。
【００６７】
（故障検知処理）
次に、図８に基づき、本発明の第１の実施形態に係る故障検知処理を説明する。図８は、本発明の第１の実施形態に係る故障検知処理を説明するための説明図である。図８の２つのグラフの間の四角形は、それぞれＬＥＤ７を示し、各ＬＥＤ７には属するブロック７７を記入している。又、点灯状態のＬＥＤ７は黒文字白背景で示し、消灯状態のＬＥＤ７は白文字黒背景で示し、故障のＬＥＤ７は網掛けで示している。
【００６８】
ＬＥＤ７の故障検知を行うとき、本実施形態の読取制御部１０は、１つとばしにランプ６のＬＥＤ７を点灯させる。そして、読取制御部１０は、読み取られた画像データに基づき、点灯していないＬＥＤ７の位置やブロック７７を特定する。例えば、故障検知を行うとき、読取制御部１０は、例えば、白基準板１１Ｗを読み取る位置にランプ６、各移動枠等を移動させ、白基準板１１Ｗを読み取る。
【００６９】
まず、図８の上方のグラフは、読取制御部１０が、故障がないランプ６の偶数ブロックを点灯させ、白基準板１１Ｗを読み取ったときの主走査方向１ラインの画像データにおける光量レベルの分布を示している。
【００７０】
そして、図８の下方のグラフは、読取制御部１０が、故障検知のため、点灯制御部９３に偶数ブロックのＬＥＤ７を点灯させて、白基準板１１Ｗを読み取ったときの主走査方向１ラインの画像データにおける光量レベルの分布を示している。尚、光量レベルは、画像データにおける各画素の画素値に対応している。例えば、Ａ／Ｄ変換部９１は、イメージセンサ１５の各画素が受けた光量が大きいほど、大きな画素値を出力する。
【００７１】
例えば、図８の下方のグラフに示すように、故障していて点かないＬＥＤ７に対応する位置の画素は、光量レベルが閾値を下回る。そこで、読取制御部１０は、閾値を下回った部分を照射するＬＥＤ７が故障していると検知する。例えば、図８の下方のグラフでは、第２ブロックに含まれるＬＥＤ７のうち、１つのＬＥＤ７が点かない例を示している。
【００７２】
又、故障して点かないブロック７７では、ブロック７７に含まれるＬＥＤ７に対応する位置の画素は、全て光量レベルが閾値を下回る。そこで、読取制御部１０は、閾値を下回った部分を照射するブロック７７が故障していると検知する。例えば、図８の下方のグラフでは、第６ブロックが故障し、第６ブロックに含まれるＬＥＤ７の全てが点かない例を示している。
【００７３】
ＬＥＤ７に故障がなければ、点灯させたＬＥＤ７が照射する部分の画素の光量レベルは大きく、画素値は明るい値を示す。一方、ＬＥＤ７に故障があれば、点灯させたＬＥＤ７が照射する部分の画素の光量レベルは小さく、画素値は暗い値を示す。そこで、ＯＮしたＬＥＤ７が点いているか否かを確かめるため、閾値が設けられる。読取制御部１０は、光量レベル（画素値）が閾値以上か未満かにより、ＬＥＤ７が故障しているか否かを判断する。閾値は、例えば、画像読取部１のメモリ１７に記憶される。
【００７４】
ここで、主走査方向１ラインの画像データにおいて、何番目の画素から何番目の画素までが、それぞれのＬＥＤ７が照射する部分（各ＬＥＤ７の受け持ち範囲）に対応するかは、仕様上、予め定められた関係にある。そして、読取制御部１０は、点灯させたＬＥＤ７の照射部分に対応する画素の全てについて、画素値と閾値を比較する必要はない。例えば、各ＬＥＤ７の光の照射における中心軸（最も明るくなり得る位置）に対応する主走査方向のラインでの位置の画素（１つ、又は、複数個）を１つのＬＥＤ７における代表点とする。尚、代表点は、各ＬＥＤ７の受け持ち範囲内で任意に定めてもよい。そして、読取制御部１０は、それぞれのＬＥＤ７に対応する代表点の画素の画素値（光量レベル）と、閾値と比較しＬＥＤ７が故障しているか否かを確認してもよい。
【００７５】
そして、例えば、画像読取部１内のメモリ１７が、点灯パターン（奇数ブロック、偶数ブロックの点灯させるＬＥＤ７の組み合わせ）に応じて、閾値と比較する画素の位置を記憶しておく。言い換えると、メモリ１７は、各ＬＥＤ７に対応し、閾値と比較する画素の位置を示す情報（比較画素位置情報）を記憶する。そして、読取制御部１０は、メモリ１７に記憶された閾値や、比較画素位置情報に定められた位置の画素を用い、それぞれのＬＥＤ７が故障しているか判断する。
【００７６】
（故障検知に伴う表示）
次に、図９、図１０を用いて、本発明の第１の実施形態に係る画像読取装置１００での故障検知に伴う表示の一例を説明する。図９、図１０は、本発明の第１の実施形態に係る検知結果表示画面Ｓ１、Ｓ２の一例を示す説明図である。
【００７７】
ランプ６に含まれるいずれかのＬＥＤ７で故障が生じると、原稿に照射する光量レベルが故障部分で低下し暗く読み取られる結果となる。従って、原稿の再現性が低下する。
【００７８】
しかし、故障したＬＥＤ７の場所によっては、大きなサイズの原稿の読み取りに支障があっても、小さなサイズの原稿では、支障がない場合がある。本実施形態の画像読取部１では基準点Ｐと原稿の左上隅が合わされて、原稿の読み取りが行われる。そのため、ランプ６は、基準点Ｐから主走査方向に沿った最大読取幅の範囲で光を照射する。
【００７９】
もし、故障したＬＥＤ７の位置が、例えば、基準点ＰからＡ４用紙の短辺の長さよりも離れた位置（手前側）であれば、主走査方向とＡ４用紙の短辺を平行にさせた読み取りでは、故障したＬＥＤ７による影響なしに読み取りを行える。そこで、読取制御部１０によって特定された故障したＬＥＤ７の位置に基づき、操作パネル３に検知結果表示画面Ｓ１、Ｓ２を表示させる。
【００８０】
操作パネル３の液晶表示部３０は、ＬＥＤ７に故障があっても、ＬＥＤ７の故障による影響がなく読み取りを行えるサイズの原稿があるとき、図９に示すような、検知結果表示画面Ｓ１を表示する。これにより、使用者は、コピー等のため、問題なく読み取りを行える原稿のサイズを知ることができる。ランプ６に含まれるＬＥＤ７が故障したからといって、直ちに複合機２００が利用できなくなることはない。又、操作パネル３の液晶表示部３０は、ＬＥＤ７に故障があるため、ＬＥＤ７の故障による影響を受ける原稿のサイズも検知結果表示画面Ｓ１に表示する。
【００８１】
一方、基準点Ｐに近い位置のＬＥＤ７（例えば、読み取り可能な最小サイズの用紙の辺の長さよりも基準点Ｐからの位置が近いＬＥＤ７）で故障が生じたとき、ＬＥＤ７の故障による影響がなく読み取りを行える原稿のサイズは、ない。このようなとき、操作パネル３の液晶表示部３０は、図１０に示すような、読取不可の検知結果表示画面Ｓ２を表示する。
【００８２】
例えば、画像読取部１の読取制御部１０が、故障と検知されたＬＥＤ７の位置に基づき、読み取りに影響がない原稿のサイズと、影響がある原稿のサイズを求める。例えば、故障のあったＬＥＤ７やブロック７７の位置に対し、読み取りに影響がある原稿サイズを定めたテーブルデータを画像読取部１のメモリ１７に記憶させておく。そして、読取制御部１０は、テーブルデータと故障ＬＥＤ７の位置を照らしあわせ、読み取りに影響がない原稿のサイズと、影響がある原稿のサイズを求める。
【００８３】
読取制御部１０は、求めた結果を本体制御部８に送る。そして、本体制御部８は、操作パネル３に求めた結果を転送する。あるいは、読取制御部１０は、求めた結果を直接操作パネル３に送信する。求めた結果を受け、操作パネル３は、故障検知の結果を液晶表示部３０で表示する。尚、テーブルデータを記憶部８２に記憶させておき、本体制御部８が読取制御部１０から故障したＬＥＤ７の位置情報を受け取り、本体制御部８が、読み取りに影響がない原稿のサイズと、影響がある原稿のサイズを求めてもよい。
【００８４】
（故障検知制御の流れ）
次に、図１１を用いて、本発明の第１の実施形態に係る画像読取装置１００での故障検知制御の流れを説明する。図１１は、本発明の第１の実施形態に係る画像読取装置１００での故障検知制御の流れの一例を示すフローチャートである。
【００８５】
図１１のスタートは、故障検知を開始する時点である。このとき、本体制御部８は、読取制御部１０にランプ６のＬＥＤ７の故障検知を行う旨の指示を与える。尚、故障検知は任意の時点で行うことができる。例えば、複合機２００の主電源投入時や、省電力モードからの復帰時や、スタートキー３２が押され、コピー等を開始する時などに、故障検知を行うことができる。
【００８６】
故障検知が開始されると、点灯制御部９３は、ランプ６に含まれるブロック７７のうち、奇数のブロック７７のＬＥＤ７を点灯させる（ステップ♯１）。このとき、１つとばしでＬＥＤ７が点灯されることになる。即ち、ランプ６は、ブロック７７内のＬＥＤ７とＬＥＤ７との間に他のブロック７７のＬＥＤ７を１つ配するようにＬＥＤ７が配され、故障検知のとき、並べられたＬＥＤ７が、１つとばしで点灯するようにブロック７７単位でＬＥＤ７の点消灯を切り替える。そして、読取制御部１０は、巻取モータやイメージセンサ１５を動作させ、白色板の読み取りを行わせる（ステップ♯２）。そして、読み取り結果として画像データが得られる（ステップ♯３）。
【００８７】
そして、読取制御部１０は、閾値やメモリ１７等から、奇数ブロックのＬＥＤ７の位置に対応し、画像データ内で閾値と比較する画素の位置を示すデータ（比較画素位置情報）等を読み出す（ステップ♯４）。そして、読取制御部１０は、読み出した閾値等に基づき、画像データにおける各画素の画素値（各ＬＥＤ７の光量レベル）と閾値とを比較する（ステップ♯５）。
【００８８】
即ち、本発明に係る画像読取装置１００は、複数のＬＥＤ７からなるブロック７７を複数含み、ブロック７７内のＬＥＤ７とＬＥＤ７との間に他のブロック７７のＬＥＤ７を配するようにして、ＬＥＤ７が並べられたランプ６と、ランプ６から照射され、読取対象で反射された光を導く光学系部材（第１移動枠１３１等）と、光学系部材により、読取対象の反射光が入射され、少なくとも読取対象をライン単位で読み取るイメージセンサ１５と、ランプ６に含まれるＬＥＤ７の故障を検知する故障検知部（読取制御部１０）と、を含み、ランプ６に含まれるＬＥＤ７の故障を検知する故障検知を行うとき、ランプ６は、並べられたＬＥＤ７が、少なくとも１つとばしで点灯するようにブロック７７単位でＬＥＤ７の点消灯を切り替え、故障検知部（読取制御部１０）は、イメージセンサ１５の出力に基づく画像データにおいて、点灯させたＬＥＤ７に対応する画素の光量レベルが、予め定められた閾値以上か否かに基づき、ＬＥＤ７の故障を検知する。
【００８９】
そして、読取制御部１０は、閾値を下回るＬＥＤ７（画素）があるか否かにより、点けようとしても点かないＬＥＤ７があるか、言い換えると、ＬＥＤ７に故障があるかを確認する（ステップ♯６）。もし、故障があったとき（ステップ♯６のＹｅｓ）、読取制御部１０は、ブロック７７単位での故障であるか否かを確認する（ステップ♯７）。即ち、故障検知部（読取制御部１０）は、点灯させたＬＥＤ７の位置に基づき、ブロック７７単位で故障しているか否かを検知する、及び／又は、ＬＥＤ７の１つ単位で故障しているか否かを検知する。
【００９０】
もし、ブロック７７単位の故障であれば（ステップ♯７のＹｅｓ）、メモリ１７（本体側の記憶部８２でもよい）に、故障と特定されたブロック７７を示すデータが記憶される（ステップ♯８）。一方、ブロック７７単位の故障でなく、ＬＥＤ７単体の故障であれば（ステップ♯７のＮｏ）、メモリ１７（本体側の記憶部８２でもよい）に、故障と特定されたＬＥＤ７の位置を示すデータが記憶される（ステップ♯９）。これらの故障位置を示すデータは、メンテナンスで用いられる。
【００９１】
ＬＥＤ７に故障がないとき（ステップ♯６のＮｏ）、ステップ♯８、ステップ♯９の後、読取制御部１０は、全ＬＥＤ７の故障検知が行われたかを確認する（ステップ♯１０）。もし、全ＬＥＤ７に対する故障検知が未実行ならば（ステップ♯１０のＮｏ）、点灯制御部９３は、ランプ６に含まれるブロック７７のうち、偶数のブロック７７のＬＥＤ７を点灯させる（ステップ♯１１）。このときも、１つとばしでＬＥＤ７が点灯される。そして、読取制御部１０は、巻取モータやイメージセンサ１５を動作させ、白色板の読み取りを行わせる（ステップ♯１２）。そして、読み取り結果として画像データが得られる（ステップ♯１３）。
【００９２】
読取制御部１０は、閾値やメモリ１７等から画像データのうち、偶数ブロックのＬＥＤ７の位置に対応する画素の位置を示すデータ（比較画素位置情報）等を読み出す（ステップ♯１４）。そして、読取制御部１０は、読み出した閾値等に基づき、画像データにおける各画素の画素値（各ＬＥＤ７の光量レベル）と閾値とを比較する（ステップ♯１５）。その後、ステップ♯６に戻る。
【００９３】
全ＬＥＤ７の故障検知が実行済であれば（ステップ♯１０のＹｅｓ）、読取制御部１０は、故障したＬＥＤ７があるかを確認する（ステップ♯１６）。もし、故障したＬＥＤ７がなければ（ステップ♯１６のＮｏ）、処理を終了する。一方、故障したＬＥＤ７があれば（ステップ♯１６のＹｅｓ）、読取制御部１０は、故障を検知したＬＥＤ７の位置をもとに、ランプ６に含まれるＬＥＤ７に故障があっても、正常に読み取りを行える原稿のサイズがあるかを確認する（ステップ♯１７）。
【００９４】
もし、ＬＥＤ７に故障があっても、正常に読取可能な原稿のサイズがあれば（ステップ♯１７のＹｅｓ）、操作パネル３の液晶表示部３０は、ＬＥＤ７の故障が生じている旨と、読み取り可能な原稿のサイズを表示する（ステップ♯１８、図９参照）。即ち、画像読取装置１００はランプ６に含まれるＬＥＤ７に故障があるとき、読み取り可能な原稿のサイズを表示する表示部（液晶表示部３０）を含む。一方、正常に読み取り可能な原稿のサイズがなければ（ステップ♯１７のＮｏ）、液晶表示部３０は、ＬＥＤ７の故障が生じている旨と、原稿の読み取り不可である旨を表示する（ステップ♯１９、図１０参照）。ステップ♯１８、ステップ♯１９により、故障検知処理は終了する。
【００９５】
このようにして、本実施形態の発明によれば、故障検知部（読取制御部１０）は、画像データにおいて、点灯させたＬＥＤ７に対応する画素の光量レベルが、予め定められた閾値以上か否かに基づきＬＥＤ７の故障を検知する。これにより、故障検知部は、画像データに基づき、ＬＥＤ７が点くか点かないかを検知するので、ＬＥＤ７に流れる電流を測定するための測定器（回路）は必要がない。従って、画像読取装置１００の製造コスト削減や、画像読取装置１００の設計の簡略化を図ることができる。又、故障検知のとき、故障したＬＥＤ７（点かないＬＥＤ７）に隣接するＬＥＤ７を点灯させていると、隣接するＬＥＤ７の照射光の影響を受け、故障を検知できない場合が生じ得る。しかし、この構成によれば、ブロック７７内のＬＥＤ７とＬＥＤ７との間に他のブロック７７のＬＥＤ７が配され、並べられたＬＥＤ７のうち、少なくとも１つとばしでＬＥＤ７を点灯させ、隣接するＬＥＤ７を点灯させないようにすることができる。従って、故障したＬＥＤ７の位置を正確に特定することができる。
【００９６】
又、故障検知部（読取制御部１０）は、点灯させたＬＥＤ７の位置に基づき、ブロック７７単位で故障しているか否かを検知するとともに、ＬＥＤ７１つ単位で故障しているか否かを検知する。これにより、故障があるとき、故障したＬＥＤ７の位置を特定できるとともに、ブロック７７単位（ブロック７７に含まれるＬＥＤ７が点くか）も検知することができる。又、故障検知のとき、並べられたＬＥＤ７は、１つとばしで点灯される。これにより、故障検知のとき、故障したＬＥＤ７の位置を特定しやすくすることができる。又、点灯させるＬＥＤ７の組み合わせを１回変更するだけで故障検知が完了する。従って、正確、かつ、短い時間で故障したＬＥＤ７やブロック７７の特定を行うことができる。
【００９７】
又、ＬＥＤ７が故障したとき、最大サイズの原稿読取では、主走査方向の一部で光量が不足する場合がある。しかし、故障したＬＥＤ７の位置によっては、故障したＬＥＤ７の照射範囲から外れるような、小さいサイズの原稿であれば、原稿読み取りを行える場合がある。例えば、並べられたＬＥＤ７のうち、主走査方向の端の部分に位置するＬＥＤ７が故障したとき、Ａ３サイズの原稿の読み取りはできないが、Ｂ５サイズやＡ４横（主走査方向とＡ４短辺を合わせる）なら、問題なく読み取り可能な場合がある。そこで、この構成によれば、ランプ６に含まれるＬＥＤ７に故障があるとき、載置読取用コンタクトガラス１２上の基準点Ｐにあわせて載置された原稿の読み取りを行う場合、表示部（液晶表示部３０）は、読み取り可能な原稿のサイズを表示する。これにより、ＬＥＤ７故障のため暗いスジが入るといった画質の劣化のない読み取り方法を使用者に伝えることができる。
【００９８】
又、ＬＥＤ７は、白色ＬＥＤ７とできる。又、原稿を読み取り、画像データを利用する上で、光源としてのランプ６に含まれる複数のＬＥＤ７のうち、故障したＬＥＤ７の位置や、ＬＥＤ７が含まれるブロック７７を正確、迅速に検知できる画像形成装置を提供することができる。
【００９９】
（第２の実施形態）
次に、図１２に基づき、第２の実施形態を説明する。図１２は、本発明の第２の実施形態に係るランプ６のブロック分けの一例を示す説明図である。
【０１００】
尚、第１の実施形態は、ランプ６のＬＥＤ７の並べ方の点で第１の実施形態と異なるが、複合機２００や画像読取部１や原稿搬送部２などの構成は同様で良く、共通する部分は説明を省略するものとし、符号も共通したものを用いる。
【０１０１】
第２の実施形態を示す図１２は、図７と同様、ランプ６でのＬＥＤ７の並べ方と、ブロック７７の関係を示すものである。図１２においても、数字の入れられた四角形は、ＬＥＤ７を示す。四角形内の数字は、各ＬＥＤ７が属するブロック７７の番号を示す。
【０１０２】
第２の実施形態のランプ６でも、１つのブロック７７は、複数のＬＥＤ７並列接続したものを含む（直列接続でもよい）。第２の実施形態の説明でも、３つのＬＥＤ７からなる並列回路を１つのブロック７７として扱う例を説明する。そして、第２の実施形態でも、複数のブロック７７が並べられる。その結果、複数のＬＥＤ７が並べられ、１つのランプ６が形成される。尚、図１２では、第１〜第９ブロック７７までを例として示している。
【０１０３】
しかし、第２の実施形態では、１つのブロック７７におけるＬＥＤ７の間に、他の異なるブロック７７のＬＥＤ７が２個配される。例えば、図１２では、第１ブロックの各ＬＥＤ７の間には、第２ブロックと第３ブロックのＬＥＤ７が配される。より厳密に言えば、ｎ＋１（ｎ≧０）番目のブロック７７の各ＬＥＤ７の間に、ｎ＋２番目、ｎ＋３番目のブロック７７のＬＥＤ７がそれぞれ１つ配される。
【０１０４】
そして、ランプ６の各ＬＥＤ７の点消灯を行うスイッチとしての点灯回路６０は、ＬＥＤ７の故障検知のとき、ｎ＋１（ｎ≧０）番目のブロック７７のＬＥＤ７を点灯させる。これにより、ｎ＋１（ｎ≧０）番目のブロック７７のＬＥＤ７のみが点灯する。次に、点灯回路６０は、ｎ＋２（ｎ≧０）番目のブロック７７のＬＥＤ７を点灯させる。更に、その後、点灯回路６０は、ＬＥＤ７の故障検知のとき、ｎ＋３（ｎ≧０）番目のブロック７７のＬＥＤ７を点灯させる。この３回の点灯でそれぞれ、故障したＬＥＤ７の位置や、故障したブロック７７の特定が行われる。言い換えると、第１の実施形態と異なり、故障検知が３回繰り返される。即ち、ランプ６は、ブロック７７内のＬＥＤ７とＬＥＤ７との間に他のブロック７７のＬＥＤ７を２つ以上配するようにＬＥＤ７が配され、故障検知のとき、並べられたＬＥＤ７が、複数個とばしで点灯するようにブロック７７単位でＬＥＤ７の点消灯を切り替える。
【０１０５】
同じブロック７７のＬＥＤ７の間に、他のブロック７７のＬＥＤ７が２つ配する並べ方と、点灯切替により、ＬＥＤ７は、２つとばしで点灯する。言い換えると、ＬＥＤ７の故障検知のとき、ランプ６は、隣り合うＬＥＤ７は、同時に点灯せず、２つとばしで点灯する。尚、通常の原稿の読み取りでは、点灯回路６０は、全てのＬＥＤ７を点灯させる。
【０１０６】
基本的な特性として、ＬＥＤ７は光の指向性が高い。そこで、原稿に照射する光量レベルを主走査方向のラインで均一にするため、フィルタ等の光を拡散させる部材（拡散部材）がランプ６に設けられることがある。これにより、ランプ６の照射光の光量レベルの場所による偏りを解消することができるが、ＬＥＤ７の故障検知では、拡散部材により、故障したＬＥＤ７の光を周囲のＬＥＤ７が補い、故障したＬＥＤ７を特定しづらくなる場合がある。
【０１０７】
しかし、第２の実施形態では、２つとばしでＬＥＤ７を点灯させ、故障検知を行うことができる。これにより、拡散部材によって故障したＬＥＤ７の光を周囲のＬＥＤ７が補いやすくても、故障したＬＥＤ７を正確に特定することができる。
【０１０８】
ランプ６から原稿に照射される光の場所による偏りを無くすため、照射角度を広げるための拡散部材（例えば、フィルタ）が、設けられることがある。このような拡散部材の特性によっては、１つとばしでも、故障したＬＥＤ７の位置が特定し難いことがある。しかし、第２の実施形態の発明によれば、第１の実施形態で得られた効果に加え、故障検知のとき、並べられたＬＥＤ７が、複数個とばしで点灯される。これにより、故障検知のとき、並べられたＬＥＤ７は、少なくとも２つとばしで点灯させることができる。従って、故障したＬＥＤ７や、ブロック７７を確実に検知することができる。
【０１０９】
次に、他の実施形態を説明する。故障検知のとき、第１の実施形態では、１つ、第２の実施形態では、２つとばしで、ＬＥＤ７を点灯させる例を示した。しかし、１つのブロック７７におけるＬＥＤ７の間に、他の異なるブロック７７のＬＥＤ７が３個以上配されてもよい。このとき、１つのブロック７７におけるＬＥＤ７の間に配するＬＥＤ７の個数＋１回、故障検知が繰り返される。
【０１１０】
又、上記の実施形態では、読取制御部１０が故障検知を行う例を説明したが、故障検知は、読取制御部１０以外の部分が行ってもよい。例えば、画像読取部１内に故障検知処理を実行するハードウェア（専用回路）を故障検知部として設け、設けた故障検知部が、画像データと閾値や比較画素位置情報に基づき、故障検知を行ってもよい。
【０１１１】
あるいは、本体制御部８が、故障検知を行ってもよい。この場合、閾値や比較画素位置情報を記憶部８２に記憶させておき、本体制御部８は、１つおき、又は、複数個おきにＬＥＤ７を点灯させた読み取りで得られた画像データを画像読取部１から得る。このように、本体制御部８を故障検知部として用いることもできる。
【０１１２】
以上、本発明の実施形態を説明したが、本発明の範囲はこれに限定されず、発明の主旨を逸脱しない範囲で種々の変更を加えて実施することができる。
【産業上の利用可能性】
【０１１３】
本発明は、画像読取装置１００やこれを備えた画像形成装置に利用可能である。
【符号の説明】
【０１１４】
１      画像読取部                  １０    読取制御部（故障検知部）
１３１  第１移動枠（光学系部材）    １３２  第２移動枠（光学系部材）
１３３  ワイヤ（光学系部材）        １３４  巻取ドラム（光学系部材）
１４    レンズ（光学系部材）        １５    イメージセンサ
１６１  第１ミラー（光学系部材）    １６２  第２ミラー（光学系部材）
１６３  第３ミラー（光学系部材）    ３０    液晶表示部（表示部）
６      ランプ                      ７      ＬＥＤ
７７    ブロック                    ８      本体制御部（故障検知部）
１００  画像読取装置                ２００  複合機（画像形成装置）
【図１】
0005618750.tif 000002
【図２】
0005618750.tif 000003
【図３】
0005618750.tif 000004
【図４】
0005618750.tif 000005
【図５】
0005618750.tif 000006
【図６】
0005618750.tif 000007
【図７】
0005618750.tif 000008
【図８】
0005618750.tif 000009
【図９】
0005618750.tif 000010
【図１０】
0005618750.tif 000011
【図１１】
0005618750.tif 000012
【図１２】
0005618750.tif 000013